(57)【特許請求の範囲】
【請求項１】
弾性変形可能な素材によってループ状に形成されるループ部と、
前記ループ部の途中に配置されて指が固定される指固定部と、を備え、
前記ループ部は、所定の携帯端末の第１隅角部の前面側に引っ掛けられて、前記携帯端末の後面側を渡されて、前記携帯端末の前記第１隅角部と対角位置にある第２隅角部の前面側に引っ掛けられるように、前記携帯端末の対角線の長さの略２倍の長さのループ状に形成され、
前記指固定部は、指を挿入できるように、弾性変形可能な素材によってループ状に形成されている、携帯端末用のホルダの使用方法であって、
前記ループ部を、伸長して弾性変形させつつ、前記携帯端末の前記第１隅角部の前面側から、背面側を通し、前記第２隅角部の前面側へと架け渡すステップと、
前記指固定部を、拡径して弾性変形させつつ、前記指固定部に指を挿入するステップと、を備え、
前記指固定部の位置を調整するために、前記ループ部を架け渡す位置をずらすステップをさらに備える、携帯端末用のホルダの使用方法。
【請求項２】
少なくとも２つの前記指固定部を備える、請求項１に記載された、携帯端末用のホルダの使用方法。
【発明の詳細な説明】
【技術分野】
【０００１】
本発明は、スマートフォンを含む携帯端末用のホルダに関するものである。
【背景技術】
【０００２】
近年、スマートフォンやタブレットを含む携帯端末が普及してきており、外出した際などに携帯端末を片手でしっかりと保持することのできるホルダが望まれている。
【０００３】
例えば、特許文献１には、略平板上のスマートフォンの４つの角それぞれに勘合する結合部と、この結合部に連結された伸縮性のある支持体を備えることを特徴とするスマートフォン用アタッチメントケースが開示されている。
【先行技術文献】
【特許文献】
【０００４】
【特許文献１】特開２０１８−９３３６７号公報
【発明の概要】
【発明が解決しようとする課題】
【０００５】
しかしながら、特許文献１のケースを含む従来の携帯端末用のホルダは、スマートフォンを安定的に保持できるものの、所定の形状を有する携帯端末に勘合するように形成されているため、形状の異なる様々な携帯端末に適用することは困難であった。
【０００６】
そこで、本発明は、スマートフォンを安定的に保持できるうえに、様々な形状の携帯端末に適用することのできる、携帯端末用のホルダを提供することを目的としている。
【課題を解決するための手段】
【０００７】
前記目的を達成するために、本発明の携帯端末用のホルダは、弾性変形可能な素材によってループ状に形成されるループ部と、前記ループ部の途中に配置されて指が固定される指固定部と、を備えている。
【発明の効果】
【０００８】
このように、本発明の携帯端末用のホルダは、弾性変形可能な素材によってループ状に形成されるループ部と、ループ部の途中に配置されて指が固定される指固定部と、を備えている。このような構成であるため、指固定部によってスマートフォンを安定的に保持できるうえに、ループ部によって様々な形状の携帯端末に適用することができる。
【図面の簡単な説明】
【０００９】
【図１】携帯端末用のホルダの斜視図である。
【図２】携帯端末用のホルダをスマートフォンに装着した状態の背面図である。
【図３】携帯端末用のホルダをスマートフォンに装着した状態の正面図である。
【図４】別形態の携帯端末用のホルダの斜視図である。
【発明を実施するための形態】
【００１０】
以下、本発明の実施の形態について図面を参照して説明する。ただし、以下の実施例に記載されている構成要素は例示であり、本発明の技術範囲をそれらのみに限定する趣旨のものではない。
【００１１】
本実施例において、携帯端末とは、例えば、主に、携帯電話、スマートフォン、又はタブレットを想定しているが、これらに限定されるものではなく、携帯することのできる端末であればよい。
【実施例】
【００１２】
（構成）
まず、図１を用いて本実施例の携帯端末用のホルダ１の構成について説明する。携帯端末用のホルダ１は、弾性変形可能な素材によってループ状に形成されるループ部２と、ループ部２の途中に配置されて指が固定される指固定部３、３と、を一体に備えている。
【００１３】
ループ部２は、シリコンゴムを含むシリコン樹脂などの伸縮性（弾性変形可能）のある合成樹脂によって、所定の長さを有する細長い帯状かつ環状に形成される。すなわち、ループ部２は、それ自体が輪を形成している。
【００１４】
さらに、本実施例のループ部２の長さは、所定の形状の携帯端末Ｓの第１隅角部Ｓ１１の前面側に引っ掛けられて、携帯端末Ｓの後面側を渡されて、携帯端末Ｓの前記第１隅角部Ｓ１１と対角位置にある第２隅角部Ｓ１２の前面側に引っ掛けられるように、携帯端末Ｓの対角線の長さの略２倍の長さのループ状に形成される。
【００１５】
したがって、ホルダ１が、携帯端末Ｓに装着された状態では、ループ部２は、少し伸長されて弾性変形した状態となっている。このため、ループ部２は、携帯端末Ｓの背面側において、２本分の張力（弾性反力）によって、携帯端末Ｓに固定されている。
【００１６】
一方、２つの指固定部３、３は、ループ部２と同一の素材によって、ループ部２の途中にループ部２と一体の小さな筒状に成形されている。すなわち、それぞれの指固定部３は、シリコンゴムを含むシリコン樹脂などの伸縮性（弾性変形可能）のある合成樹脂によって、指を挿通することが可能な孔（指固定孔）を有して形成される。さらに、指固定部３の内径は、指を挿入した状態で、指が抜けない程度の大きさとされることが好ましい。具体的に言うと、指固定部３の内径は、例えば、直径１．３ｃｍから直径１．８ｃｍ程度とすることが好ましい。ただし、子供や指の細い人用に、より内径の小さい指固定部３を準備することも、もちろん可能である。
【００１７】
さらに、２つの指固定部３、３は、環状のループ部２の長さ方向に、離れた位置に配置されている。具体的に言うと、図１に示すように、それぞれの指固定部３は、互いに最も離れた位置（互いに１８０度；０時と６時の位置関係）となるように配置されている。なお、指固定部３、３の配置や位置関係は、これに限定されるものではなく、例えば、互いに１２０度（０時と４時の位置関係）となるようにしてもよい。
【００１８】
そして、指固定部３は、１つであってもよいが、少なくとも２つ以上備えることが好ましい。このように指固定部３が２つ以上あることによって、指が抜けにくくなるうえに、携帯端末Ｓの向きを固定できる。さらに、２つの指を連動して動かすことで、背面側から携帯端末Ｓの向きを変えることができる。この場合でも、指と指固定部３、３は固定されているため、携帯端末Ｓを誤って落とすことはない。
【００１９】
（使用方法）
次に、図２、図３を用いて、本実施例の携帯端末のホルダ１の使用方法について説明する。本実施例の携帯端末用のホルダ１の使用方法は、以下の１）−３）のステップを備えている。
【００２０】
１）ループ部２を、伸長して弾性変形させつつ、携帯端末Ｓの第１隅角部Ｓ１１の前面側から、背面側を通し、第２隅角部Ｓ１２の前面側へと架け渡すステップ（図２参照）。
【００２１】
２）指固定部３、３を、拡径して弾性変形させつつ、指固定部３、３に指を挿入するステップ（図２参照）。
【００２２】
３）指固定部３、３の位置を調整するために、ループ部２を架け渡す位置をずらすステップ。
なお、この「ずらす」ステップ（工程）は、指固定部３、３の位置が、最初から適切な位置にある場合には、不要となる。
【００２３】
上述した１）−３）のステップによって、携帯端末Ｓをしっかりと手（指）に固定・保持することができるようになる。すなわち、図２に示すように、例えば、小指と薬指とを指固定部３、３に挿入することで、手とホルダ１を固定することができるため、結局、手と携帯端末Ｓを固定することができる。
【００２４】
この状態になると、図３に示すように、指固定部３、３に挿入されている小指と薬指以外の３本の指（中指、人差し指、親指）によって、携帯端末Ｓを操作することができるようになる。すなわち、携帯端末Ｓの完全な保持と操作を片手のみで実現することができるのである。
【００２５】
（効果）
次に、本実施例の携帯端末のホルダ１の奏する効果を列挙して説明する。
【００２６】
（１）上述してきたように、本実施例の携帯端末用のホルダ１は、弾性変形可能な素材によってループ状に形成されるループ部２と、ループ部２の途中に配置されて指が固定される指固定部３、３と、を備えている。このような構成であるため、指固定部３、３によってスマートフォンなどの携帯端末Ｓを安定的に保持できるうえに、ループ部２によって様々な形状の携帯端末Ｓに適用することができる。
【００２７】
さらに、指固定部３、３に挿入されている指以外の指によって、携帯端末Ｓを操作することができる。すなわち、本実施例の携帯端末用のホルダ１によれば、携帯端末Ｓの完全な保持と操作を片手のみで実現することができる。そうすると、例えば、電車の中で右手で吊り革を持ち、左手でスマートフォンを持ちながら同じ左手でスマートフォンを操作できる。
【００２８】
さらに、ループ部２は、伸縮するため、様々な大きさ・形状の携帯端末Ｓに、ホルダ１を装着することができる。加えて、ループ部２を長さ方向にずらすことによって、指固定部３、３の位置をずらして適切な好みの位置に移動させることができる。また、ループ部２に対して、指固定部３をひねった角度にしやすいため、手指に対する負担を軽減することができる。
【００２９】
さらに言うと、本実施例の携帯端末用のホルダ１は、左右対称形状であるため、携帯端末Ｓの架け渡す位置を反転させることによって、右利き用に使用することができうえ、左利き用にも使用することができる。
【００３０】
（２）また、ループ部２は、所定の携帯端末Ｓの第１隅角部Ｓ１１の前面側に引っ掛けられて、携帯端末Ｓの後面側を渡されて、携帯端末Ｓの第１隅角部Ｓ１１と対角位置にある第２隅角部Ｓ１２の前面側に引っ掛けられるように、携帯端末Ｓの対角線の長さの略２倍の長さのループ状に形成されることが好ましい。例えば、４．５インチの携帯端末Ｓであれば、約９インチの長さとすることが好ましく、５．５インチの携帯端末Ｓであれば、約１１インチの長さとすることが好ましい。ただし、本実施例のループ部２は伸縮性があるため、多少の長さの違いについては、対応（吸収）することができる。このように長さを設定することで、携帯端末Ｓをしっかりと保持・固定できるとともに、過大な張力（弾性反力）によって携帯端末Ｓを歪めるおそれも少なくなる。
【００３１】
（３）さらに、指固定部３は、指を挿入できるように、弾性変形可能な素材によってループ状（円筒状）に形成されていることが好ましい。このように構成すれば、指を指固定部３に押し込むことによって、摩擦力や弾性反力によって指と指固定部３とをしっかりと固定することができる。
【００３２】
（４）また、携帯端末用のホルダ１は、少なくとも２つの指固定部３、３を備えることが好ましい。このように、２つ以上の指固定部３、３を備えることによって、より強固に携帯端末Ｓを保持することができる。
【００３３】
例えば、図４に示すように、３つの指固定部３、３、３を備えるホルダ１Ａとすることができる。このように構成すれば、小指と薬指に加えて、中指も指固定部３に挿入・固定することで、より強固に携帯端末Ｓを保持できる。
【００３４】
この他、複数の指固定部３、・・・のすべてを割合に近い位置に隣接して配置することも可能である。例えば、３０度ずつ離れた位置、すなわち０時と１時と２時の３か所に指固定部３、・・・を配置することもできる。
【００３５】
（５）さらに、上述した携帯端末用のホルダ１の使用方法は、以下の各ステップを備えることが好ましい。すなわち、１）ループ部２を、伸長して弾性変形させつつ、携帯端末Ｓの第１隅角部Ｓ１１の前面側から、背面側を通し、第２隅角部Ｓ１２の前面側へと架け渡すステップ、及び、２）指固定部３、３を、拡径して弾性変形させつつ、指固定部３、３に指を挿入するステップ、を備えることが好ましい。このようなステップ１）及び２）を備えることによって、指固定部３、３によってスマートフォンなどの携帯端末Ｓを安定的に保持できるうえに、ループ部２によって様々な形状の携帯端末Ｓに適用することができる。
【００３６】
（６）また、携帯端末用のホルダ１の使用方法は、指固定部３、３の位置を調整するために、ループ部２を架け渡す位置をずらすステップをさらに備えることが好ましい。すなわち、本実施例の携帯端末用のホルダ１は、ループ部２を長さ方向にずらすことによって、指固定部３、３の位置をずらして適切な好みの位置に移動させることができる。
【００３７】
以上、図面を参照して、本発明の実施例を詳述してきたが、具体的な構成は、この実施例に限らず、本発明の要旨を逸脱しない程度の設計的変更は、本発明に含まれる。
【００３８】
例えば、実施例では説明しなかったが、携帯端末用のホルダ１、１Ａの色や模様はどのようなものであってもよい。例えば、透明色や、白色や、黒色や、グレー色、黄緑色、青色、赤色、黄色などにすることができる。
【符号の説明】
【００３９】
１：携帯端末用のホルダ；
２：ループ部；
３：指固定部；
Ｓ：携帯端末；
Ｓ１１：第１隅角部；
Ｓ１２：第２隅角部
【要約】      （修正有）【課題】スマートフォンを安定的に保持できるうえに、様々な形状の携帯端末に適用することのできる携帯端末用のホルダを提供する。【解決手段】携帯端末用のホルダ１は、弾性変形可能な素材によってループ状に形成されるループ部２と、ループ部２の途中に配置されて指が固定される二つの指固定部３と、を備えている。ループ部２は、所定の形状の携帯端末Ｓの第１隅角部Ｓ１１の前面側に引っ掛けられて、携帯端末Ｓの後面側を渡されて、携帯端末Ｓの第１隅角部Ｓ１１と対角位置にある第２隅角部Ｓ１２の前面側に引っ掛けられるように、携帯端末Ｓの対角線の長さの略２倍の長さのループ状に形成される。【選択図】図２【図１】
0006941750.tif 000002
【図２】
0006941750.tif 000003
【図３】
0006941750.tif 000004
【図４】
0006941750.tif 000005